(57)【要約】【課題】  さらなる噴射パターンを設計する可能性が生じる、衛生器具用の小型シャワーヘッドを創造する。【解決手段】  手持ち式シャワー付属品用のシャワーヘッドは、その噴射ディスクの中心に、３つの個別ノズル本体を有するインサートを含む。各個別ノズル本体は、個別噴射を行うように設計されており、このために、連続的な噴射開口を有する。個別ノズル本体の各噴射開口は、シャワーヘッドおよび噴射ディスクに対して移動可能となるように取り付けられ、水駆動回転子によって回転するように配置されている。前記連続的な噴射開口は、個別ノズル本体の回転軸と角度をなして延在する。個別ノズル本体が回転すると、そこから出る噴射流は円錐の外囲に沿って移動する。各個別ノズル本体は、すぐ隣の噴射開口から空気を吸引し、個別ノズル本体の内部でこの個別ノズル本体から出る水と空気を混合する通気装置を含む。その結果、個別ノズル本体が気泡噴射流を噴射する。【選択図】  図２
2008521530.tif 000002
【特許請求の範囲】
【請求項１】
シャワーヘッドハウジング（２）と、
前記シャワーヘッドハウジング（２）の内部の吸水管路と、
噴射口手段（６）を備えた噴射ディスク（５）と、
前記噴射ディスク（８５）および／または前記シャワーヘッドハウジング（２）に対して移動可能に保持される少なくとも１つの個別ノズル本体（８）とを有し、
自身から出るシャワー噴射流に空気を混入させるための通気装置を備えることを特徴とする、
衛生器具用シャワーヘッド。
【請求項２】
前記個別ノズル本体（８）が前記シャワーヘッドハウジング（２）および／または前記噴射ディスク（５）に保持される、請求項１に記載のシャワーヘッド。
【請求項３】
前記個別ノズル本体（８）が前記シャワーヘッドハウジング（２）のインサート（７）内に保持される、請求項１に記載のシャワーヘッド。
【請求項４】
前記個別ノズル本体（８）が自由に移動できるように保持される、先行する請求項のいずれか１項に記載のシャワーヘッド。
【請求項５】
前記個別ノズル本体（８）を強制的に、特にタービン（１１）によって回転可能に駆動することができる、請求項１から３の１項に記載のシャワーヘッド。
【請求項６】
前記個別ノズル本体（８）の動作中に出る水噴射の方向が変わるように、前記個別ノズル本体（８）が形成される、先行する請求項のいずれか１項に記載のシャワーヘッド。
【請求項７】
前記個別ノズル本体（８）の通気装置が前記個別ノズル本体（８）から延びる少なくとも１つの空気通路（２２）を特徴として備える、先行する請求項のいずれか１項に記載のシャワーヘッド。
【請求項８】
前記空気通路（２２）が噴射通路（１９）と平行に延び、前記噴射通路よりも小さな断面を特徴とする、請求項７に記載のシャワーヘッド。
【請求項９】
前記空気通路（２２）が前記個別ノズル本体（８）の混合室（２１）内に排気する、請求項７または８に記載のシャワーヘッド。
【請求項１０】
前記混合室（２１）が数個の穴を有する配水板（２０）によって上流と接している、請求項９に記載のシャワーヘッド。
【請求項１１】
前記配水板（２０）が前記個別ノズル本体（８）内の段上に位置し、その下で少なくとも１つの空気通路（２２）が排気を行っている、請求項１０に記載のシャワーヘッド。
【請求項１２】
前記噴射通路（１９）の周囲に分配された数個の空気通路（２２）を備える、請求項７から１１の１項に記載のシャワーヘッド。
【請求項１３】
数個の個別ノズル本体（８）を備える、先行する請求項の１項に記載のシャワーヘッド。
【請求項１４】
数個の個別ノズル本体（８）を一斉に駆動することができる、請求項１３に記載のシャワーヘッド。
【請求項１５】
前記少なくとも１つの個別ノズル本体（８）が追加的にさらなる噴射口要素（６）を利用できる、先行する請求項のいずれか１項に記載のシャワーヘッド。
【請求項１６】
前記個別ノズル本体（８）が前記噴射ディスク（５）の残りの前記噴射口要素（６）と同一方向に噴射する、先行する請求項のいずれか１項に記載のシャワーヘッド。
【発明の詳細な説明】
【技術分野】
【０００１】
本発明は、衛生器具用シャワーヘッドに関する。
【背景技術】
【０００２】
シャワーヘッドには、顧客の要望を満たすために、より複雑な噴射パターンを形成することができる数多くのタイプが存在する。
【０００３】
例えば、強めのマッサージ噴射と弱めのマッサージ噴射、または脈動噴射など、さまざまな噴射形式で切り換えることができるシャワーヘッドが知られている。また、方向が変化する噴射流も知られている。
【０００４】
気泡噴射は通常、噴射ディスクの特定の箇所に配列された噴射口要素から生成される。
【発明の開示】
【発明が解決しようとする課題】
【０００５】
本発明の課題は、さらなる噴射パターンを設計する可能性が生じる、衛生器具用の小型シャワーヘッドを創造することである。
【課題を解決するための手段】
【０００６】
この課題を解決するために、本発明は請求項１に記載の特徴を備えるシャワーヘッドを提案する。本発明の開発形態が、従属請求項の主題である。
【発明の実施の形態】
【０００７】
現在、シャワーヘッドに対して移動可能に取り付けまたは保持される個別ノズル本体から気泡噴射を生成することが初めて可能になっている。個別ノズル本体の下の要素は、例えば単一の噴射口ノズル、必要であれば第二または第三の噴射口ノズルを特徴として備えることを理解されたい。数個の個別ノズル本体が存在する場合、これらの各個別ノズル本体がそれぞれの通気装置を特徴として備える。
【０００８】
本発明のさらなる開発形態では、個別ノズル本体をシャワーヘッドハウジングおよび／または噴射ディスクに保持して提供することができる。
【０００９】
例えば、さらなる開発形態では、個別ノズル本体をシャワーヘッドハウジングのインサート内に保持して提供することができる。それによって、個別ノズル本体は噴射ディスクと独立して配置および形成することができる。
【００１０】
例えば、個別ノズル本体を自由に、つまり水流状態に応じて配向させる、例えばさらには振動させるように取り付けることがきる。
【００１１】
しかしながら、本発明のさらなる開発形態では、個別ノズル本体が特定の動作を実行できるように取り付けられると特に都合がよく、強制駆動部を特徴として備える。例えば、個別ノズル本体を回転駆動するためのタービンを設けることができる。当然ながら、このタービンはシャワーヘッドを流れる水によって駆動される。
【００１２】
特に、個別ノズル本体がその動作中に自身から出るシャワー噴射流の方向を変化させるように、支持具を設計することができる。例えば、シャワー噴射流は円錐外囲に沿わせることができる。
【００１３】
特に小型のシャワーヘッドを設計するために、本発明によるさらなる開発形態では、個別ノズル本体に、個別ノズル本体を通る少なくとも１つの空気通路を特徴として備える通気装置を設けることができる。これは、シャワーヘッドハウジングの外部から空気を吸い込んで、個別ノズル本体を通して水噴射を生じさせる目的を果たす。
【００１４】
特に、噴射通路と平行に延び、前記噴射通路よりも小さな断面を特徴とする空気通路を設けることができる。
【００１５】
本発明によれば、さらなる開発形態では、個別ノズル本体の混合室内に排気する空気通路を設けることができる。個別ノズル本体の内部に形成されたこの混合室は、配水板の形の境界を特徴として備えることができ、さらなる開発形態では、この配水板はその吸気側にある数個の穴を特徴とする。この穴は、混合室に入る前の水の噴射流を分配して、ベンチュリ効果をもたらすことにより空気を吸い込む。
【００１６】
特に、配水板は個別ノズル本体の内部の段上に位置させることができ、その下には少なくとも１つの空気通路が存在する。
【００１７】
当然ながら、個別ノズル本体に数個の空気通路が配置されると特に都合がよく、好ましくは噴射通路の周囲に均一に配置される。
【００１８】
本発明によれば、シャワーヘッドは、多様な噴射パターンを生成するために一斉に駆動させることができる数個の個別ノズル本体で特徴として備えることができる。
【００１９】
少なくとも１つの個別ノズル本体がさらに追加の噴射口要素を備えていることは適当であり、本発明の範囲内のことである。
【００２０】
好ましくは、個別ノズル本体、または数個の個別ノズル本体がある場合すべての個別ノズル本体は、噴射ディスクの他の噴射口要素と同一方向の噴射を生成する。
【００２１】
本発明のさらなる特徴、詳細および選択肢は、特許請求の範囲および要約書から得られる。それらの記載内容は、明細書の内容、本発明の好適な実施形態の以下の説明、および図面の記載に基づいている。
【実施例】
【００２２】
図１は、グリップ１を備えた手持ち式シャワーヘッドとシャワーヘッドハウジング２の縦断面を示す。シャワーヘッドハウジング２は、その外周に沿って平らな円筒ジャケット４を通る境界を有する、平らなハウジング面３を含む。これは、シャワーヘッドハウジング２の内部空間を画定する。この内部空間は、ハウジング面３から離れる側にある噴射ディスク５によって限定され、図示の例示的機構では、３本の同心列の噴射口要素６を備えている。噴射ディスクの中心では、インサート７がシャワーヘッドハウジングにしっかりとねじ込まれており、噴射ディスク５の一種のコアが形成されることになる。３つの個別ノズル本体８は、このインサート７内に配置される。これらの個別ノズル本体８は、図２の平面図でも見ることができる。
【００２３】
インサート７は、シャワーヘッドハウジング２の中心突起１０にねじ９をねじ込むことによって、シャワーヘッドハウジングに固定される。タービン翼車１１は、この中心突起１０の周囲に旋回可能に取り付けられ、外側歯を備えたハブを特徴として備える。このことは、以下の文脈でより明白になるであろう。
【００２４】
水は、グリップ１を通ってシャワーヘッドハウジングの内部に入り、噴射口要素６または中心のタービン翼車１１までの一連の案内手段を通ってシャワーヘッドハウジングの内部に入る。３つの個別ノズル本体８は、均一にオフセットされている（図２の平面図参照）。
【００２５】
次に、図３はシャワーヘッドハウジング２の中央の断面を示す。ここでは、回転子１１が、ジャケット内の斜めに整列したスリット１２を通して水噴射が提供される１０個のタービン翼を特徴として備えることが見受けられる。水は、このジャケットの外部のリング空間１３に達し、そこからスリット１２を通ってタービン１１が取り付けられる空間に達する。
【００２６】
次に、図４を参照する。ここでは、個別ノズル本体８の１つが軸方向断面で示されている。個別ノズル本体８は、一端にシャワーヘッドハウジング２の内部に向けられた外側歯１５を有する回転フランジ１４を特徴として備える。これらの外側歯１５は、図３の断面でも見ることができる。円筒断面１６はフランジ１４と隣接しており、後に半円断面に変わる。
【００２７】
個別ノズル本体８は、個別ノズル本体８の外形といくぶんか相補的に形成されたインサート７の容器に収容される。したがって、その円筒断面１６では、個別ノズル本体８が容器の円筒壁に位置する一方、半円断面がリング表面に位置する。個別ノズル本体８の前部はインサート７の切り欠き１７内にあるため、外方に開口している。
【００２８】
個別ノズル本体８のフランジ１４の外側歯１５には、回転子１１のハブ上の外側歯１８が協働しており、これは同様に図３の断面で見受けられる。回転子１１は、インサート内に旋回可能に取り付けられる。
【００２９】
回転子１１が流水によって回転させられると、個別ノズル本体８は容器によって定められる固定回転軸の周囲で回転させられる。
【００３０】
個別ノズル本体８には段付き内部開口１９が設けられ、その長手方向軸は個別ノズル本体８の対称軸に対して斜めに延びている。個別ノズル本体８を回転させることによって、内部開口１９の軸は円錐外囲に沿って移動する。
【００３１】
内部開口１９は、個別ノズル本体８のシャワーヘッドハウジング２の内部から離れる方の側から始まり、段で終結する第一の面を有する。数個の個別開口を備えた配水ディスク２０が、この段上に位置する。配水ディスク２０が位置する段には、混合室２１が隣接することによって、段を備えた斜方向くびれを有することになる。この混合室２１では、個別ノズル本体８の前面から出る内部開口１９に平行な４つの空気通路２２が延びている。これらの小さな空気通路２２は、図２でも見受けられる。
【００３２】
個別ノズル本体８の内部開口１９内で配水ディスク２０の穴を通って水が流れると、水はシャワーヘッドハウジングの外側からの空気を空気通路２２から吸い込み、その空気を内部開口１９を通って案内される噴射流へ運び込む。この空気の吸引と出て行く噴射流への空気混入は、回転子の回転とは独立している。回転する回転子と定期的に方向を変える水の噴射流によって、非常に多様な噴射パターンが生み出される。
【図面の簡単な説明】
【００３３】
【図１】本発明によるシャワーヘッドを備えた手持ち式シャワーヘッドの断面。
【図２】図１の下方から見た図１の手持ち式シャワーヘッドの正面図。
【図３】図１および２のシャワーヘッドの横断面。
【図４】タービンによって回転させられる個別ノズル本体の配列を拡大した断面。
【符号の説明】
【００３４】
１    グリップ
２    シャワーヘッドハウジング
３    ハウジング面
４    円筒ジャケット
５    噴射ディスク
６    噴射口要素
７    インサート
８    個別ノズル本体
９    ねじ
１０  中央突起
１１  タービン翼車、回転子
１２  スリット
１３  リング空間
１４  フランジ
１５  外側歯
１６  円筒断面
１８  外側歯
１９  内部開口
２０  配水ディスク
２１  混合室
２２  空気通路
【図１】
2008521530.tif 000003
【図２】
2008521530.tif 000004
【図３】
2008521530.tif 000005
【図４】
2008521530.tif 000006
【手続補正書】
【提出日】平成19年10月25日(2007.10.25)
【手続補正１】
【補正対象書類名】図面
【補正対象項目名】全図
【補正方法】変更
【補正の内容】
【図１】
2008521530.tif 000007
【図２】
2008521530.tif 000008
【図３】
2008521530.tif 000009
【図４】
2008521530.tif 000010
【国際調査報告】
2008521530.tif 000011
2008521530.tif 000012
2008521530.tif 000013
2008521530.tif 000014
2008521530.tif 000015
2008521530.tif 000016